(57)【特許請求の範囲】
【請求項１】
入金口へ投入された入金貨幣を１枚ずつ繰り込んで識別し、入金可能な貨幣を一時保留部へ集積するとともに承認指令に基づいて収納庫へ収納し、返却指令に基づいて機外へ返却する貨幣入金機において、
担当者あいるはレジＮＯ等の個別データごとに割当てられた複数のデータレコードからなるファイルと、
前記個別データの入力により該当するデータレコードを開くファイルオープン処理、入金貨幣のデータを開いているデータレコードに更新記録するデータ更新処理、開いていたデータレコードを閉じるファイルクローズ処理を行うファイル管理手段と、
一時保留貨幣の承認指令または返却指令を入力する承認・返却指令入力手段と、
ファイルオープン処理が行われ一時保留部への貨幣の集積が完了した後に一時保留貨幣の承認指令が入力された場合に一時保留貨幣を収納庫へ収納するとともに前記ファイル管理手段によりデータ更新処理およびファイルクローズ処理を行わせる承認クローズ処理手段と、
ファイルオープン処理が行われ一時保留部への貨幣の集積が完了した後、担当者による一時保留貨幣の承認指令または返却指令の何れもが所定時間内に入力されなかった場合、自動的に、一時保留貨幣を収納庫へ収納するとともに前記ファイル管理手段によりデータ更新処理、ファイルクローズ処理を行わせる未承認クローズ処理手段と、
少くとも未承認クローズ処理が行われたとき更新データと未承認クローズ処理が行われたことを示すデータを含むログ記録をとるログ記録手段と
を具有することを特徴とする貨幣入金機。
【請求項２】
入金口へ投入された入金貨幣を１枚ずつ繰り込んで識別し、入金可能な貨幣を一時保留部へ集積するとともに承認指令に基づいて収納庫へ収納し、返却指令に基づいて機外へ返却する貨幣入金機において、
担当者あいるはレジＮＯ等の個別データごとに割当てられた複数のデータレコードからなるファイルと、
前記個別データの入力により該当するデータレコードを開くファイルオープン処理、入金貨幣のデータを開いているデータレコードに更新記録するデータ更新処理、開いていたデータレコードを閉じるファイルクローズ処理を行うファイル管理手段と、
一時保留貨幣の承認指令または返却指令を入力する承認・返却指令入力手段と、
管理者のＩＤデータを入力する管理者ＩＤデータ入力手段と、
ファイルオープン処理が行われ一時保留部への貨幣の集積が完了した後に一時保留貨幣の承認指令が入力された場合に一時保留貨幣を収納庫へ収納するとともに前記ファイル管理手段によりデータ更新処理およびファイルクローズ処理を行わせる承認クローズ処理手段と、
ファイルオープン処理が行われ一時保留部への貨幣の集積が完了した後に一時保留貨幣の承認指令または返却指令の何れもが所定時間内に入力されなかった場合に管理者によるＩＤデータの入力待ち状態になり、前記管理者ＩＤデータ入力手段による管理者のＩＤデータ入力および承認・返却指令入力手段による承認指令に基づいて一時保留貨幣を収納庫へ収納するとともに前記ファイル管理手段によりデータ更新処理、ファイルクローズ処理を行わせる未承認クローズ処理手段と、
少くとも未承認クローズ処理が行われたとき更新データと未承認クローズ処理が行われたことを示すデータを含むログ記録をとるログ記録手段と
を具有することを特徴とする貨幣入金機。
【請求項３】
ファイルオープン処理が行われ一時保留部への貨幣の集積が完了した後に一時保留貨幣の承認指令または返却指令の何れもが第１の所定時間内に入力されなかった場合に警告音を発生する警告音発生手段を付設し、前記第１の所定時間よりも長い第２の所定時間内に一時保留貨幣の承認指令または返却指令の何れもが入力されなかった場合に前記未承認クローズ処理を行うようにされている請求項１記載の貨幣入金機。
【発明の詳細な説明】
【０００１】
【発明の属する技術分野】
本発明は、スーパーマーケット等の大型小売店の出納室や、タクシー会社の事務所、銀行等金融機関のロビーに設置され、予め登録されているレジＮＯや係員コード、あるいは顧客コードに対応したデータレコード（口座）に売上金等の現金を入金する貨幣入金機に関する。
【０００２】
【従来の技術】
従来、スーパーマーケット等の大型小売店には多数のＰＯＳレジスタが設置されており、そこでの売上金はレジ担当者が出納室等へ持参し、そこに設置されている貨幣入金機に自身の操作によって入金処理を行うようになされている。
【０００３】
上記貨幣入金機の構成は、紙幣の入金処理を行う紙幣処理部と、硬貨の入金処理を行う硬貨処理部と、入金処理に必要なデータや指令の入力あるいはＩＤカードのデータを読み取る操作部と、操作ガイダンスや計数結果等を表示する表示部と、レジスタ別の入金データを記憶または外部へ転送するデータ処理部とを備え、紙幣処理部および硬貨処理部にはそれぞれ貨幣を投入する入金口、貨幣の金種を識別する識別部、入金可能な貨幣を一時保留する一時保留部、入金の承認がなされた貨幣を収納する収納庫を有している。
【０００４】
レジ担当者が行う売上金の入金操作としては、まずレジＮＯ等が記録されているＩＤカードを操作部のカードリーダに通すことにより該当するデータレコード（口座）を開き、売上金の紙幣および硬貨をそれぞれの入金口へ投入したのちスタートボタンを押すと、紙幣処理部および硬貨処理部はそれぞれ並行して識別計数が行われ、識別計数結果が表示部に表示されるとともに計数済みの紙幣および硬貨はそれぞれの一時保留部に一時保留される。
【０００５】
そしてレジ担当者が表示部の計数結果を見て承認ボタンを押すと、一時保留部の紙幣および硬貨が各収納庫へ収納されるとともにその金額データがレジスタ別の入金データとしてデータ処理部に更新記憶され、オープン状態のファイルが閉じられることによりクローズ処理が行われ、１回の入金操作が完了するようになされていた。
【０００６】
また紙幣および硬貨の識別計数を行う前に予め売上金の合計金額を操作部によってキー入力することも可能とされており、その場合には識別計数結果とキー入力された合計金額との差額も表示されるようになっていた。
【０００７】
【発明が解決しようとする課題】
しかるに上記従来の貨幣入金機を使用しての売上金の入金処理では、レジ担当者が行う操作としてはＩＤカードを通すことと、紙幣および硬貨を入金口にセットしてスタートボタンを押すことと、承認ボタンを押すこととのきわめて簡単な操作であるためにアルバイト等の不慣れなレジ担当者であっても入金処理を行う場合がある。
【０００８】
また売上金の入金処理の場合は、売上額のデータがＰＯＳレジスタを通じて上位のコンピュータや出納室へ通知されているためにレジ担当者が売上金の一部を着服しようとしても既に記録されているため不正行為を行うことができず、最終的にはレジのドロワ内にある現金はすべて貨幣入金機に入金しなければならなかった。
【０００９】
それ故途中で売上金の一部を貨幣入金機に入金する場合は入金額を確認する必要があるが、レジを閉じた後の最終入金の場合は残りすべての売上金を入金しなければいけないため貨幣入金機で識別計数された計数結果を確認することなく承認ボタンを押して入金処理を完了するのが一般的であった。
【００１０】
このように不慣れなレジ担当者が入金処理を行うことや、計数結果をさほど重視することなく承認ボタンを押す場合があることに起因して、確認ボタンを押さずにその場を立ち去ってしまう場合があり、次に来た人が入金処理を行うことができないという問題があった。
【００１１】
本発明は上記従来技術の問題点に着目し、操作者がクローズ処理を行わずに立ち去って次の入金者が入金処理を行ってしまうことによる混乱を防ぎ、違算の発生を未然に防止することを可能とする貨幣入金機を提供することを課題としてなされたものである。
【００１２】
【課題を解決するための手段】
上記課題を解決する手段として、請求項１に記載の発明は、入金口へ投入された入金貨幣を１枚ずつ繰り込んで識別し、入金可能な貨幣を一時保留部へ集積するとともに承認指令に基づいて収納庫へ収納し、返却指令に基づいて機外へ返却する貨幣入金機において、担当者あいるはレジＮＯ等の個別データごとに割当てられた複数のデータレコードからなるファイルと、前記個別データの入力により該当するデータレコードを開くファイルオープン処理、入金貨幣のデータを開いているデータレコードに更新記録するデータ更新処理、開いていたデータレコードを閉じるファイルクローズ処理を行うファイル管理手段と、一時保留貨幣の承認指令または返却指令を入力する承認・返却指令入力手段と、ファイルオープン処理が行われ一時保留部への貨幣の集積が完了した後に一時保留貨幣の承認指令が入力された場合に一時保留貨幣を収納庫へ収納するとともに前記ファイル管理手段によりデータ更新処理およびファイルクローズ処理を行わせる承認クローズ処理手段と、ファイルオープン処理が行われ一時保留部への貨幣の集積が完了した後、担当者による一時保留貨幣の承認指令または返却指令の何れもが所定時間内に入力されなかった場合、自動的に、一時保留貨幣を収納庫へ収納するとともに前記ファイル管理手段によりデータ更新処理、ファイルクローズ処理を行わせる未承認クローズ処理手段と、少くとも未承認クローズ処理が行われたとき更新データと未承認クローズ処理が行われたことを示すデータを含むログ記録をとるログ記録手段とを具有せしめたことにある。
【００１３】
請求項２は、前記未承認クローズ処理を管理者によって行うようにしたもので、請求項１の発明が対象とするのと同様な貨幣入金機において、担当者あいるはレジＮＯ等の個別データごとに割当てられた複数のデータレコードからなるファイルと、前記個別データの入力により該当するデータレコードを開くファイルオープン処理、入金貨幣のデータを開いているデータレコードに更新記録するデータ更新処理、開いていたデータレコードを閉じるファイルクローズ処理を行うファイル管理手段と、一時保留貨幣の承認指令または返却指令を入力する承認・返却指令入力手段と、管理者のＩＤデータを入力する管理者ＩＤデータ入力手段と、ファイルオープン処理が行われ一時保留部への貨幣の集積が完了した後に一時保留貨幣の承認指令が入力された場合に一時保留貨幣を収納庫へ収納するとともに前記ファイル管理手段によりデータ更新処理およびファイルクローズ処理を行わせる承認クローズ処理手段と、ファイルオープン処理が行われ一時保留部への貨幣の集積が完了した後に一時保留貨幣の承認指令または返却指令の何れもが所定時間内に入力されなかった場合に管理者によるＩＤデータの入力待ち状態になり、前記管理者ＩＤデータ入力手段による管理者のＩＤデータ入力および承認・返却指令入力手段による承認指令に基づいて一時保留貨幣を収納庫へ収納するとともに前記ファイル管理手段によりデータ更新処理、ファイルクローズ処理を行わせる未承認クローズ処理手段と、少くとも未承認クローズ処理が行われたとき更新データと未承認クローズ処理が行われたことを示すデータを含むログ記録をとるログ記録手段とを具有することにある。
【００１５】
さらに請求項３は、請求項１に記載の貨幣入金機において、ファイルオープン処理が行われ一時保留部への貨幣の集積が完了した後に一時保留貨幣の承認指令または返却指令の何れもが第１の所定時間内に入力されなかった場合に警告音を発生する警告音発生手段を付設し、前記第１の所定時間よりも長い第２の所定時間内に一時保留貨幣の承認指令または返却指令の何れもが入力されなかった場合に前記未承認クローズ処理を行うようにしたことにある。
【００１６】
【発明の実施の形態】
以下、本発明を図面に示す実施の形態を参照して説明する。
【００１７】
図１は本発明を適用する貨幣入金機の一例の外観を示し、機体１内に紙幣処理部２と硬貨処理部３とが併設されており、図２（Ａ）に紙幣処理部２の略示断面図を、図２（Ｂ）に硬貨処理部３の略示断面図を示している。
【００１８】
すなわち機体１の前面上方部の傾斜面部１ａには、本機を操作する担当者のＩＤカードのデータを読み取るカードリーダ４、その直下位置に入金処理に必要なデータや指令を入力するための操作部５、その下方位置に紙幣入金ホッパ６がそれぞれ設けられており、機体１の上面には操作ガイダンスや計数結果等を表示する表示部７が、また前記操作部５の側方位置にはレシート発行口８が設けられている。
【００１９】
前記傾斜面部１ａの下端に続く平面部１ｂの左方位置には硬貨入金ホッパ９が設けられ、機体１の下方の前面上方部右側には紙幣を機外から取り出し可能な状態に集積する第１スタッカ部１０および第２スタッカ部１１の各取出口１０ａ，１１ａが上下に並設されて開口されており、これらのスタッカ部１０，１１は入金処理時に発生するリジェクト紙幣の集積箇所として使用されるとともに、紙幣を所定枚数ずつ仕分けして整理するバッチ処理時の集積箇所としても使用される。またこの取出口１０ａ，１１ａは紙幣の飛び出しを防ぐための舌片状のストッパ１０ｂ，１１ｂが下方に向け回動変位可能に設けられている。
【００２０】
またその下部位置には一時保留部１２の開閉扉１３が、その下部位置には収納庫１４の引出し扉１５がそれぞれ設けられ、前面左側にはリジェクト硬貨返却箱１６と硬貨返却箱１７が上下に位置してそれぞれ抜きとり可能に設けられている。
【００２１】
前記紙幣処理部２の内部構造は、図２（Ａ）にその概要を示すように、前記紙幣入金ホッパ６に投入された紙幣を１枚ずつ繰り込む繰り込み手段１８の後流側に、繰り込まれた紙幣の金種等の識別および計数を行う識別部１９が設けられ、この識別部１９に続いて機体１の前面側の一時保留部１２へ向けて配設される搬送路２０の途中に切換爪２１を有する分岐部を介して分岐する分岐搬送路２２が設けられ、さらにこの分岐搬送路２２の途中から切換爪２３を有する分岐部を介して２路に分岐されてそれぞれの分岐搬送路２４，２５を通じ前記第１スタッカ部１０と第２スタッカ部１１に紙幣を送り込むようになっている。
【００２２】
図２（Ａ）において２６，２７，２８は、一時保留部１２、第１、第２スタッカ部１０，１１へ紙幣を送入する際に紙幣の後端をはたき落して良好に集積させるための羽根車、Ｓ1 〜Ｓ4 は、紙幣入金ホッパ６、一時保留部１２、第１、第２スタッカ部１０，１１の紙幣の有無を検知するセンサを示す。
【００２３】
前記硬貨処理部３の構成は図２（Ｂ）にその概要を示すように、硬貨入金ホッパ９の直下に配設された回転円盤からなる繰り出し部２９、繰り出された硬貨の金種等を識別する識別部３０、硬貨を金種別に分類する分類部３１、分類された硬貨を金種別に一時保留する一時保留部３２、リジェクト硬貨を受け入れるリジェクト箱１６、硬貨を返却する際の硬貨返却箱１７、前記一時保留部３２から収納指令により金種別に収納する硬貨収納庫３３等からなっており、この硬貨収納庫３３は前記紙幣処理部２の紙幣収納庫１４と共に台車３４により機体１から引出し可能とされている。
【００２４】
制御部３５は、図３に制御系のブロック図を示すように、カードリーダ４、操作部５等からの入力指令に基づいて、表示部７、担当者あるいはレジＮＯ等の個別データごとに割当てられた複数のデータレコードからなるファイル３６を管理するファイル管理手段３７、貨幣の繰り込み動作、搬送動作、分岐動作、収納動作、返却動作等の駆動を行う機構部駆動手段３８、各部の検知手段３９、識別部１９，３０等の制御を行うことにより貨幣の入金処理あるいはバッチ処理等の整理処理を行うようになっている。
【００２５】
そして、操作部５の中には一時保留貨幣の収納を承認する承認指令入力手段としての承認ボタン４０、一時保留貨幣の返却を指令する返却指令入力手段としての返却ボタン４１、管理者が操作する場合のための管理者ＩＤ入力手段としてのキー群４２、およびスタートボタン、クリアボタン等が設けられており、ファイル管理手段３７には担当者あるいはレジＮＯ等の個別データの入力により該当するデータレコードを開くファイルオープン処理、入金貨幣のデータを開いているデータレコードに更新記録するデータ更新処理、開いていたデータレコードを閉じるファイルクローズ処理を行わせる機能を有しており、制御部３５はファイル管理手段３７によってファイルオープン処理が行われ一時保留部１２，３２への貨幣の集積が完了した後に一時保留貨幣の承認指令が承認指令入力手段４０により入力された場合に一時保留貨幣を収納庫１４，３３へ収納するとともにファイル管理手段３７によりデータ更新処理、ファイルクローズ処理を行わせる承認クローズ処理手段４３としての機能と、ファイル管理手段３７によってファイルオープン処理が行われ一時保留部１２，３２への貨幣の集積が完了した後に承認指令入力手段４０による一時保留貨幣の承認指令または返却指令入力手段４１による一時保留貨幣の返却指令の何れもが所定時間内に入力されなかった場合に一時保留貨幣を収納庫１４，３３へ収納するとともにファイル管理手段３７によりデータ更新処理、ファイルクローズ処理を行わせる未承認クローズ処理手段４４としての機能を備えている。
【００２６】
また、ログ記録手段４５は貨幣の入力処理が行われた場合にその入金処理の内容のログ記録をとるようになっており、特に未承認クローズ処理手段４４によって未承認クローズ処理が行われたときには更新データと未承認クローズ処理が行われたことを示すデータを含むログ記録をとるようになっている。
【００２７】
さらに警告音発生手段４６は、ファイル管理手段３７によってファイルオープン処理が行われ一時保留部１２，３２への貨幣の集積が完了した後に承認指令入力手段４０による一時保留貨幣の承認指令または返却指令入力手段４１による一時保留貨幣の返却指令の何れもが所定時間内に入力されなかった場合に警告音を発生させる機能を備えている。
【００２８】
次に上記貨幣入金機の動作内容を図４〜図７に示すフローチャートにより説明する。
【００２９】
図４において、担当者が自己のＩＤカードを機体１のカードリーダ４に通すとカードデータの読み込みまたはレジＮＯが入力される（Ｓ1 ）。これによりその担当者またはレジに該当するファイル３６のデータコードがオープンされ（Ｓ2 ）、操作部５により入金額を入力する（Ｓ3 ）。なおこの入金額のキー入力は省略するようにしてもよい。
【００３０】
次に紙幣入金ホッパ６および硬貨入金ホッパ９に紙幣および硬貨を投入したのちスタートボタンを押すと（Ｓ4 ）、貨幣の繰り込みが開始されて計数が行われ（Ｓ5 ）、表示部７に計数結果が図８に例示するような内容で表示される（Ｓ6 ）。この表示内容としては、レジＮＯ、オープン回数、紙幣入金分の金種と、機械で取り込んだ枚数または手入力により挿入した枚数と金額が、同じく硬貨入金分の金種と、取り込み形態別の枚数と金額が表示され、その金額の合計額、伝票計、差額等が表示される。
【００３１】
次いでタイマー設定がなされ（Ｓ7 ）、その設定時間が経過したか否かがチェックされ（Ｓ8 ）、その設定時間内に返却ボタンが押されて返却指令が入力されたか否かが判断され（Ｓ9 ）、返却ボタンが押されないときは入金承認ボタンが押されたか否かの判断（Ｓ10）がなされる。
【００３２】
入金承認ボタンが押されれば承認クローズ処理（Ｓ11）がなされ、次いで承認クローズのログ記録（Ｓ12）がなされて終了する。このログ記録の内容は、図９に例示するように、連番、日付、時間、レジＮＯ、回数、作業内容、金額等が順次書き込まれる。この作業内容としては、担当者が承認行為を行って承認クローズ処理が行われた場合には「承認」、担当者が返却行為を行って入金処理を行わずにクローズ処理が行われた場合には「返却」、担当者が承認行為を行わず入金機が自動的に未承認クローズ処理を行った場合には「未承認」、担当者が承認行為を行わず管理者が代わりに承認行為を行って未承認クローズ処理が行われた場合には「未承認１２３」のように未承認の後に管理者ＩＤが記録される。
【００３３】
前記タイマーによる設定時間内に返却も承認もなされなかったときは、警告音の発生装置４６がＯＮとなり（Ｓ13）、警報が発せられて担当者にクローズ処理が未処理であることを知らせ、改めて返却か承認かの操作を行うよううながす。
【００３４】
警告音の発生から所定時間経過をみて（Ｓ14）、その時間内にクリアボタンが押されたか否かが判断され（Ｓ15）、クリアボタンが押されれば警告音の発生装置４６がＯＦＦとなり（Ｓ16）、タイマーが再設定され（Ｓ17）、前記ステップ（Ｓ9 ）へ戻る。
【００３５】
前記警告音の発生から所定時間経過してもなおクリアボタンが押されないときは、警告音の発生装置４６がＯＦＦとなり（Ｓ18）、未承認クローズ処理（Ｓ19）がなされ、未処理クローズのログ記録（Ｓ20）がなされて終了する。
【００３６】
前記ステップ（Ｓ9 ）においてタイマーによる設定時間内に返却ボタンが押されると、貨幣が返却され（Ｓ21）、ファイル３６がクローズされ（Ｓ22）、返却クローズのログ記録（Ｓ23）がなされて終了する。
【００３７】
前記承認クローズ処理（Ｓ11）がなされると、図５のように貨幣入金機の一時保留部（紙幣は１２、硬貨は３２）の貨幣を収納庫１４，３３へ収納し（Ｓ24）、その計数結果をファイル３６に更新記憶し（Ｓ25）、ファイルクローズ（Ｓ26）となって終了する。
【００３８】
また未承認クローズ処理（Ｓ19）の場合は、図６の自動処理と図７の管理者処理との２種の形態がある。
【００３９】
すなわち図６に示す未承認クローズ処理Ｉ（Ｓ27）では、前記一時保留部１２，３２の貨幣を収納庫１４，３３へ収納し（Ｓ28）、計数結果をファイル３６に更新記憶し（Ｓ29）、ファイルクローズ（Ｓ30）して終了する。
【００４０】
図７に示す未承認クローズ処理II（Ｓ31）は係員の操作によるもので、この場合は表示部７に図１０に示すような管理者コール画面を表示し（Ｓ32）、管理者のコードを入力する。この管理者のコードが入力されたか否かが判断され（Ｓ33）、入力されないときはステップ（Ｓ32）に戻り、入力されたときは図８と同様に計数結果およびレジＮＯが表示される（Ｓ34）。
【００４１】
次いで返却ボタンが押されたか否かが判断され（Ｓ35）、入力された場合は貨幣が返却され（Ｓ36）、ファイルクローズ（Ｓ37）されて終了する。
【００４２】
返却ボタンが押されないときは入金承認ボタン３８が押されたか否かが判断され（Ｓ38）、押されない場合はステップ（Ｓ34）へ戻る。入金承認ボタンが押されたときは一時保留部１２，３２の貨幣が収納庫１４，３３へ収納され（Ｓ39）、計数結果をファイル３６に更新記憶し（Ｓ40）、ファイルクローズ（Ｓ37）されて終了する。
【００４３】
【発明の効果】
以上説明したように本願請求項１の発明によれば、担当者が入金処理を行ったのちクローズ処理をし忘れても自動的にファイルを未承認クローズ処理してそのログ記録をとるので次の担当者の入金に支障をきたすことがなく、また違算の発生を未然に防止することができる。
【００４４】
また請求項２によれば、管理者が未承認クローズ処理するので、画面上での内容の確認を行ったのち処理することができ、そのときレジＮＯから担当者も判明するので本人に対し通告することや、レジに戻すことが可能となり、確実な処理を行うことができる。
【００４６】
また請求項３によれば、上記警告音の発生の後さらに所定時間が経過しても承認または返却の指令が入力されないとき自動的に未承認クローズ処理されるので、一層確実な処理を図ることができる。
【図面の簡単な説明】
【図１】本発明を適用する貨幣入金機の一例を示す外観斜視図。
【図２】図１の内部構造を示し、（Ａ）は紙幣処理部、（Ｂ）は硬貨処理部の各略示断面図。
【図３】制御系を示すブロック図。
【図４】動作の一例を示すフローチャート。
【図５】承認クローズ処理時のフローチャート。
【図６】自動未承認クローズ処理のフローチャート。
【図７】管理者による未承認クローズ処理のフローチャート。
【図８】入金時における表示部の表示内容を示す説明図。
【図９】入金ログの書き込み内容を示す説明図。
【図１０】管理者コール画面を示す説明図。
【符号の説明】
１  機体
２  紙幣処理部
３  硬貨処理部
５  操作部
６  紙幣入金ホッパ
７  表示部
９  硬貨入金ホッパ
１２，３２  一時保留部
１４，３３  収納庫
１９，３０  識別部
【図１】
0003865968.tif 000002
【図２】
0003865968.tif 000003
【図３】
0003865968.tif 000004
【図４】
0003865968.tif 000005
【図５】
0003865968.tif 000006
【図６】
0003865968.tif 000007
【図７】
0003865968.tif 000008
【図８】
0003865968.tif 000009
【図９】
0003865968.tif 000010
【図１０】
0003865968.tif 000011